(57)【要約】【課題】  魚の小骨を挟持して引抜く形態では、相当に強い操作力を要し、長時間にわたる作業を継続し難く、無理に引抜き操作するときは、魚身肉部分を壊して商品価値を減退し易くなる。そこで、小型、軽量で、長時間にわたって連続使用可能の取扱性のよい小骨抜取器を得るものである。【解決手段】  手指先で把持操作可能のハンドケース１の内部に沿って、先端に魚の小骨を挟持する挟持爪２を有したピンセット３と、先端に有した押割カム４を前記ピンセット３の基端側の開閉アーム５間に押込ませるスピンドル６、及びこの伸縮シリンダ７とを内装し、このハンドケース１の先端外周部には、前記伸縮シリンダ７による押割カム４の押出作動を行わせる操作具８を設ける。【選択図】図１
2011125320.tif 000002
【特許請求の範囲】
【請求項１】
手指先で把持操作可能のハンドケース（１）の内部に沿って、先端に魚の小骨を挟持する挟持爪（２）を有したピンセット（３）と、先端に有した押割カム（４）を前記ピンセット（３）の基端側の開閉アーム（５）間に押込むスピンドル（６）と、及びこの伸縮シリンダ（７）とを内装し、このハンドケース（１）の先端外周部には、前記伸縮シリンダ（７）による押割カム（４）の押出作動させる操作具（８）を設け、この操作具（８）の押し操作によって押割カム（４）を作動してピンセット（３）の挟持爪（２）で小骨を挟持して、このハンドケース（１）の移動操作によって抜き取ることを特徴とする魚の小骨抜取器。
【請求項２】
前記伸縮シリンダ（７）を、エア圧回路を介して伸縮作動のエアシリンダ形態として、この伸縮シリンダ（７）の基端部に、前記操作具（８）によって伸縮作動を切替える切替弁（１４）を設けたことを特徴とする請求項１に記載の魚の小骨抜取器。
【請求項３】
前記挟持爪（２）は、ハンドケース（１）の下端部の定位置に開閉可能にして取付け、このハンドケース（１）の移動操作によって前記挟持爪（２）で挟持した小骨を抜き取ることを特徴とする請求項１、又は２に記載の魚の小骨抜取器。
【請求項４】
前記ハンドケース（１）を、切替弁（１４）、伸縮シリンダ（７）、及び押割カム（４）等を内装する基部側の基部ケース（２１）と、ピンセット（３）を内装する先端側の端部ケース（２２）とによって構成し、これら押割カム（４）と開閉アーム（５）との対向部間において接合、分離可能に構成することを特徴とする請求項１、２、又は３に記載の魚の小骨抜取器。
【発明の詳細な説明】
【技術分野】
【０００１】  この発明は、魚を解体するときに、三枚に下した側身部分の中身部に沿って残存する小骨（ピンボーン）の抜取処理を容易化する魚の小骨抜取器に関する。
【背景技術】
【０００２】  魚体を三枚に下ろすと、側身部分の中身部に沿ってピンボーンが残る。このピンボーンの一部（魚頭側域の数本）は比較的太く、長いために、このピンボーンを取除いて調理し、食べ易くするため、このピンボーンを直接手で把持して引抜いたり、ピンセットや、挟持工具等を用いて引抜いたり、回転ローラによってピンボーンの頭部を係合して掻き取るように処理する技術があるが、相当の操作技術、及び操作力を要し、多量、且つ長時間にわたる処理作業では疲労度が大きい。
【先行技術文献】
【特許文献】
【特許文献１】
【０００３】  特表２０００−５１５３８３号公報（第１頁、図３）。
【発明の開示】
【発明が解決しようとする課題】
【０００４】  前記ピンセットや、挟持工具を用いて小骨を挟持して引抜く形態では、相当に強い操作力を要し、長時間にわたる作業を継続し難く、無理に引抜き操作するときは、魚身肉部分を壊して商品価値を低下し易くなる。そこで、小型、軽量で、長時間にわたって連続使用可能の取扱性のよい小骨抜取器を得るものである。
【課題を解決するための手段】
【０００５】  請求項１に記載の発明は、手指先で把持操作可能のハンドケース１の内部に沿って、先端に魚の小骨を挟持する挟持爪２を有したピンセット３と、先端に有した押割カム４を前記ピンセット３の基端側の開閉アーム５間に押込ませるスピンドル６、及びこの伸縮シリンダ７とを内装し、このハンドケース１の先端外周部には、前記伸縮シリンダ７による押割カム４の押出作動を行わせる操作具８を設け、この操作具８の押し操作によって押割カム４を作動してピンセット３の挟持爪２で小骨を挟持して、このハンドケース１の移動操作によって抜き取ることを特徴とする魚の小骨抜取器の構成とする。【０００６】  ハンドケース１の先端部を把持して、このピンセット３の先端挟持爪２が開いた状態で魚の側身部の小骨頭部を挟持する位置に移動操作する。このとき作業者は、ハンドケース１の先端部を手指先部で把持しているため挟持爪２部の小骨に対する挟持位置合せが決まり易く、迅速、的確な位置決め操作を行うことができる。このとき、小骨の頭部が魚肉面から突出していない等の状態によって、正確な挟持爪２の位置決め操作を行い難いときは、この挟持爪２の先端爪先部を魚の側身部に軽く押付けることによって、この挟持爪２の先端部を開いた状態にして側身部面に軽く押圧させて、この挟持爪２間に小骨の頭部を露出、突出させて、この挟持爪２による小骨の的確な挟持を行い易くする。この状態で、ハンドケース１を把持している手の指先部で、このハンドケース１の先端部に位置する操作具８を押すことによって、伸縮シリンダ７のスピンドル６を伸出作動させて、先端の押割カム４を先端側へ押出して、ピンセット３の基部開閉アーム５間に押込んで、このハンドケース１の先端部から突出している挟持爪２を閉鎖して小骨の頭部を強く挟持する。【０００７】  この操作工程では、ハンドケース１を把持して位置合せしながら、指先で操作具８を押し操作するだけであるから、特に強い操作力は要しない。ここで前記操作具８の押し操作によって挟持爪２間に挟持した小骨を、この挟持したままの状態で、作業者が把持しているこのハンドケース１を手加減しながら抜取方向へ引張移動操作することによって、挟持爪２を一体として移動して小骨を側身部から引き抜くことができる。又、この小骨の引抜時に、側身部が一体的に付随して浮上するときは、他方の手で側身部を押さえて固定することによって、この側身部を崩さないようにして小骨の抜取りを行うことができる。
このようにして、小骨を引抜くと、ハンドケース１を側身部から離して移動する。そして、操作具８の押し操作を解除すると、伸縮シリンダ７によりピンセット３の挟持爪２が開かれて、引抜かれた小骨の挟持を開放し、続いて行う小骨の引抜操作行程の前記初期操作位置へ復帰するものである。【０００８】  請求項２に記載の発明は、前記伸縮シリンダ７を、エア圧回路を介して伸縮作動のエアシリンダ形態として、この伸縮シリンダ７の基端部に、前記操作具８によって伸縮作動を切替える切替弁１４を設ける。
この伸縮シリンダ７の切替弁１４を操作具８によって切替操作することにより、エア圧回路からのエア圧を切替て、伸縮シリンダ７のスピンドル６を出、没作動し、ピンセット３を開閉することができる。この形態では、エア圧回路によるエア圧作動の伸縮シリンダ７、及び切替弁１４と、この切替弁１４を操作する操作具８等は、単なる機械的構成部材によって構成して、電気的接点や、ハーネス配線等を組み込まないために、作業時における水分や、塩分等の侵蝕を受け難く、故障を少くする。しかも、この切替弁１４をハンドケース１の基端部に、伸縮シリンダ７や、ピンセット３等と共に一体として内装して、かつ、この切替弁１４を操作する操作具８との連動関係位置を接近固定させて、コンパクトな形態として、取扱い、操作を行い易くする。【０００９】  請求項３に記載の発明は、前記挟持爪２は、ハンドケース１の下端部の定位置に開閉可能にして取付け、このハンドケース１の移動操作によって前記挟持爪２で挟持した小骨を抜き取る構成とする。
前記のよに、ハンドケース１の先端部に突出させた挟持爪２は、このハンドケース１に対する関係位置を殆ど変更することなく、一体的に固定した位置において前記操作具８の押し操作により開閉するものであるから、操作する作業者における挟持爪２の開閉操作感覚を、手指先部自体による操作と同様にして、挟持爪２の小骨に対する挟持位置決めや、挟持作動を行い、この小骨を挟持することによって、直ちにこの把持したままの手を引抜き移動操作して、この手動引抜操作力によって小骨を引抜くことができる。【００１０】  請求項４に記載の発明は、前記ハンドケース１を、切替弁１４、伸縮シリンダ７、及び押割カム４等を内装する基部側の基部ケース２１と、ピンセット３を内装する先端側の端部ケース２２とによって構成し、これら押割カム４と開閉アーム５との対向部間において接合、分離可能に構成する。
前記のようにして、この小骨抜取器を使用して、魚の小骨を抜取ことができるが、この作業後は、主として水洗、乃至、蒸気洗浄する等によって、衛生的に維持する。このときは、基部ケース２１に対して、端部ケース２２を取り外して開放状態とし、この内部には防水性を要する構成部材が無く、これら各基部ケース２１、及び端部ケース２２の内側や、この内部に構成する切替弁１４、伸縮シリンダ７、押割カム４、及び、ピンセット３等全ての構成部材、部分の洗浄を行い易くする。
【発明の効果】
【００１１】  請求項１に記載の発明は、前記ハンドケース１を比較的小径で細長く形成しても、内部に設けるピンセット３や、このピンセット３を開閉するための伸縮シリンダ７、スピンドル６、及び押割カム４等は、このハンドケース１の長手方向に沿わせて配置する形態であり、かつ、この先端部外周面にはこの把持指で操作される操作具８を設けるものであるから、簡単、軽量で、細長く、手指先部での把持操作、及び取扱の行い易いハンド形態の小骨抜取器とすることができる。
又、このピンセット３の挟持爪２を側身部の小骨の位置に合せして挟持させるため、手指先部でのハンドケース１の把持による操作を、直接手指部で小骨を把持して引抜操作するのと略同様にして簡単、容易に行うことができる。このハンドケース１の先端部外周の操作具８の押し操作によって、前記伸縮シリンダ７による押割カム４を進出移動させてピンセット３の挟持爪２を強く挟持閉鎖し、この小骨を挟持した状態で、ハンドケース１をそのまま直ちに引抜き移動操作して、この挟持している小骨を抜き取るものであるから、手動力操作によって側身部を損傷しないように加減することができる。【００１２】  請求項２に記載の発明は、この伸縮シリンダ７の切替弁１４を操作具８によって切替操作することにより、エア圧回路からのエア圧を切替えて、伸縮シリンダ７のスピンドル６を出、没作動し、ピンセット３を開閉することができるもので、この形態では、エア圧回路によるエア圧作動の伸縮シリンダ７や、切替弁１４、及びこの切替弁１４を操作する操作具８等は、単なるエア圧作動のみによる機械的構成部材によって構成して、防水性を要する構成部分、乃至部材においては、例えば、電気的接点や、ハーネス配線等は組み込まないために、作業時における水分や、塩分等の侵蝕を受け難く、故障を少くする。しかも、この切替弁１４をハンドケース１の基端部に、伸縮シリンダ７や、ピンセット３等と共に一体として内装して、かつ、この切替弁１４を操作する操作具８との連動関係位置を接近固定させて、コンパクトな形態として、取扱い操作を行い易くする。【００１３】  請求項３に記載の発明は、前記のよに、ハンドケース１の先端部に突出させた挟持爪２は、この一体的に固定した位置において前記操作具８の押し操作により開閉するものであるが、このハンドケース１の長さ方向に対する関係位置は殆ど変更することなく、常に定位置にあって、操作する作業者における挟持爪２の開閉操作感覚を、直接手指先部による操作と同様にして、挟持爪２の小骨に対する挟持位置決めや、この位置における挟持爪２による挟持作動を行わせて、この小骨を挟持することによって、直ちにこの挟持したままの手を引抜き移動操作して、小骨の挟持や、引抜き操作を行うことができ、小骨の挟持位置合せ、挟持爪２による挟持、及び手動引抜き操作による引抜き等の一連の小骨抜取操作を簡単、迅速、かつ容易に行うことができる。【００１４】  請求項４に記載の発明は、前記ハンドケース１を、切替弁１４、伸縮シリンダ７、及び押割カム４等を内装する基部側の基部ケース２１と、ピンセット３を内装する先端側の端部ケース２２とに、これらの内部に構成される押割カム４と開閉アーム５との対向部間において、接合、分離可能にして構成するものであるから、前記のようにして、魚の小骨を抜取る作業後は、主として水洗、乃至、蒸気洗浄する等によって、衛生的に維持するが、このときは、基部ケース２１に対して、端部ケース２２を取り外して内部を開放状態とし、この内部には防水性を要する構成部材が無く、これら各基部ケース２１、及び端部ケース２２の内側や、この内部に構成する切替弁１４、伸縮シリンダ７、押割カム４、及び、ピンセット３等全ての構成部材、部分の水洗洗浄を行い易くし、メンテナンス化を簡易化することができる。
又、これら各基部ケース２１や、端部ケース２２等をさらに開放して、内部の各構成部分品を解体して洗浄する形態とすることも容易である。
【図面の簡単な説明】
【００１５】
【図１】  魚の小骨抜取器の正面図（Ａ）と、その側面図（Ｂ）、その一部の平面図（Ｃ）、（Ｄ）。
【図２】  その操作回路のブロック図と、そのエア回路図。
【図３】  一部別例を示す小骨抜取器の正面図（Ａ）と、その側面図（Ｂ）、その一部の平面図（Ｃ）、（Ｄ）。
【図４】  そのエア回路図。
【図５】  使用状態を示す斜視図。
【発明を実施するための形態】
【００１６】  図例に基づいて、この魚の小骨抜取器は、作業者が手先部Ｔで把持して作業操作できるハンドケース（パイプ状形態）１を主体として、このハンドケース１の下端部には、魚の側身部Ｗ面に挟持爪２を接近させて小骨Ｐを挟持できるピンセット３を設け、このハンドケース１の内部には、このピンセット３を開閉するためのエアシリンダ等からなる伸縮シリンダ７と、この伸縮作動するスピンドル６、及びこの先端部に固定される楔状形態の押割カム４等を設ける。前記ハンドケース１は、手先部Ｔで把持するに適応する径の円筒形態、乃至偏平筒形態の細長い形態で、このハンドケース１の内部中空部に沿って、下端部から上端部にわたって、下端部に相対向して開閉する一対の挟持爪２を有したピンセット３と、このピンセット３の基部側の開閉アーム５間に介入して前記挟持爪２を開くことができる押割カム４を有するスピンドル６と、このスピンドル６をエア圧力によって押出す伸縮シリンダ７等を配置している。
【００１７】  前記ピンセット３は、弾性鋼板材からピンセット形態に形成されて、下端縁部を対向する内側へ適宜角度に屈曲して小骨Ｐを挟持し易い形態とした挟持爪２部を構成し、長手方向の中間部をハンドケース１の下端部内に設けた支持ピン９の回りに回動自在に支持させて、下端部の挟持爪２部をハンドケース１の下端部から一定の長さに突出させて、この支持ピン９よりも上方に位置する対向部を開閉アーム５として、これら一対の開閉アーム５の対向面間に上開き形態のカム間隔１０を形成して、上方からの押割カム４を割込み介入させて、挟持爪２を閉鎖挟持するカム作動を行わせる。この相対向する一対の挟持爪２間には、張圧スプリング１１を設けて、この挟持爪２を常時開くように設定している。このため、前記押割カム４の伸出によるピンセット３は、この挟持爪２部をこの張圧スプリング１１に抗して開く形態である。このピンセット３の挟持爪２は、先端の爪先部を相互に対向する側へ屈曲させて、閉鎖位置で相互に平行状に重合する状態の挟持面１２を形成して、小骨Ｐの頭部を挟持したとき切断作用を生じないような形態に形成している。この挟持面１２を挟持爪２の幅方向（支持ピン９と平行な方向）にわたって波形状に形成することは可能である。
【００１８】  前記ハンドケース１の基部内中心定位置には、前記押割カム４のスピンドル６を所定長さ伸出移動させる伸縮シリンダ７を固定して取付ける。このスピンドル６の伸出作動は、伸縮シリンダ７に対する圧縮エアーの供給によって行われるが、退入移動はシリンダ内部に設ける戻スプリング２３の圧力によって復帰される形態である。この伸縮シリンダ７を作動するために、伸縮シリンダ７の基端部に着脱可能のソケット２６を介してエアホース１３を連結し、このエアホース１３のエア回路１６の切替弁１４を切り替えるための操作具８として押ボタンスイッチ２０等を設ける（図１、図２参照）。エアコンプレッサ１５から供給されるエア回路１６の圧縮エアーは、この切替弁１４の供給位置切替えによって、伸縮シリンダ７へ送られて押割カム４を戻スプリング２３に抗して下方へ押出す。又、この切替弁１４を停止位置へ切替えることによって、伸縮シリンダ７へのエア供給が停止されて、スピンドル６が戻スプリング２３によって復帰され、伸縮シリンダ７内のエアーは排出される。このような、切替弁１４の出力制御は、前記ハンドケース１の下端部外周に設ける押ボタンスイッチ２０を押すことによって、コントローラ１７を介してソレノイド２７を出力して、切替弁１４をバルブスプリング２８に抗して作動させて供給位置Ｋへ切替え、押ボタンスイッチ２０の押し操作を解除することによって、切替弁１４を中立位置Ｎへ切替えるものである。この押ボタンスイッチ２０のハーネス１８は、前記ハンドケース１の外周面に沿わせて後方へ引き出して、このハンドケース１と一体のカバー１９で被覆して、把持による取扱いの行い易い形態としている。
【００１９】  ここにおいて、この小骨抜取器は、手指先で把持操作可能のハンドケース１の内部に沿って、先端に魚Ｗの小骨Ｐを挟持する挟持爪２を有したピンセット３と、先端に有した押割カム４を前記ピンセット３の基端側の開閉アーム５間に押込ませるスピンドル６、及びこの伸縮シリンダ７とを内装し、このハンドケース１の先端外周部には、前記伸縮シリンダ７による押割カム４の押出作動を行わせる操作具８を設け、この操作具８の押し操作によって押割カム４を作動してピンセット３の挟持爪２で小骨Ｐを挟持して、このハンドケース１の移動操作によって抜取可能な構成とする。
【００２０】  ハンドケース１の先端部を把持して、このピンセット３の先端挟持爪２が開いた状態で魚の側身Ｗ部の小骨Ｐを挟持する位置に移動操作する。このとき作業者は、ハンドケース１の先端部を手指先部Ｔで把持しているため挟持爪２部の小骨Ｐに対する挟持位置合せが決まり易く、迅速、的確な位置決め操作を行うことができる。このとき、小骨Ｐの頭部が魚肉面から突出していない等の状態によって、正確な挟持爪２の位置決め操作を行い難いときは、この挟持爪２の先端爪先部を軽く魚の側身Ｗ部に軽く押付けることによって、この挟持爪２の先端部を開いた状態にして側身Ｗ部面に軽く押圧させて、この挟持爪２間に小骨Ｐの頭部を露出、突出させて、この挟持爪２による小骨Ｐの的確な挟持を行い易くする。この状態で、ハンドケース１を把持している手の一部の親指等で、このハンドケース１の先端部に位置する操作具８を押すことによって、伸縮シリンダ７のスピンドル６を伸長作動させて、先端の押割カム４を先端側へ押出して、ピンセット３の基部開閉アーム５間に押込んで、このハンドケース１の先端部から突出している挟持爪２を閉鎖して小骨Ｐの頭部を強く挟持する。この操作工程では、ハンドケース１を把持して位置合せしながら、指先で操作具８を押し操作するだけであるから、特に強い操作力は要しない。
【００２１】  ここで前記操作具８の押し操作によって挟持爪２間に挟持した小骨Ｐを、この挟持したままの状態で、作業者が把持しているこのハンドケース１を手加減しながら抜取方向へ引張移動操作することによって、挟持爪２を一体として移動して小骨Ｐを側身Ｗ部から引き抜くことができる。又、この小骨Ｐの引抜時に、側身部が一体的に付随して浮上するときは、他方の手で側身Ｗ部を押さえて固定することによって、この側身Ｗ部の崩さないようにして小骨Ｐの抜取りを行うことができる。
【００２２】  このようにして、小骨Ｐを引抜くと、ハンドケース１を側身Ｗ部から離して移動する。そして、操作具８の押し操作を解除すると、伸縮シリンダ７によりピンセット３の挟持爪２が開かれて、引抜かれた小骨Ｐの挟持を開放し、続いて行う小骨Ｐの引抜操作行程の前記初期操作位置へ復帰するものである。
【００２３】  又、主として図３、図４のように、前記伸縮シリンダ７を、エア圧回路を介して伸縮作動のエアシリンダ形態として、この伸縮シリンダ７の基端部に、前記操作具８によって伸縮作動を切替える切替弁１４を内装する形態とすることができる。
この伸縮シリンダ７の切替弁１４を操作具８によって切替操作することにより、油圧ポンプ１５側のエア圧回路１３からのエア圧を切替えて、伸縮シリンダ７のスピンドル６を出、没作動し、ピンセット３を開閉することができる。この形態では、エア圧回路１３によるエア圧作動の伸縮シリンダ７、及び切替弁１４と、この切替弁１４を操作する操作具８等は、単なる機械的構成部材によって構成して、電気的接点や、ハーネス配線等を組み込まないために、作業時における水分や、塩分等の侵蝕を受け難く、故障を少くする。しかも、この切替弁１４をハンドケース１の基端部に、伸縮シリンダ７や、ピンセット３等と共に一体として内装して、かつ、この切替弁１４を操作する操作具８との連動関係位置を接近固定させて、コンパクトな形態として、取扱い操作を行い易くする。
【００２４】  又、前記のような挟持爪２は、ハンドケース１の下端部の定位置に開閉可能にして取付け、このハンドケース１の移動操作によって前記挟持爪２で挟持した小骨Ｐを抜き取る構成とする。
前記のように、ハンドケース１の先端部に突出させた挟持爪２は、このハンドケース１に対する関係位置を殆ど変更することなく、一体的に固定した位置において前記操作具８の押し操作により開閉するものであるから、操作する作業者における挟持爪２の開閉操作感覚を、手指先部自体による操作と同様にして、挟持爪２の小骨Ｐに対する挟持位置決めや、挟持作動を行い、この小骨Ｐを挟持することによって、直ちにこの把持したままの手Ｔを引抜き移動操作して、挟持している小骨Ｐをこの把持している手Ｔの操作力で引抜くことができる。即ち、ハンドケース１に対してピンセット３を引抜き移動させるのではなく、挟持状態に維持したままの状態で、手動力で小骨Ｐを引抜き操作するものである。
【００２５】  又、前記ハンドケース１を、切替弁１４、伸縮シリンダ７、及び押割カム４等を内装する基部側の基部ケース２１と、ピンセット３を内装する先端側の端部ケース２２とによって構成し、これら押割カム４と開閉アーム５との対向部間において接合、分離可能に構成する。
前記のようにして、この小骨抜取器を使用して、魚の小骨を抜取ることができるが、この作業後は、主として水洗、乃至、蒸気洗浄する等によって、衛生的に維持するが、このときは、基部ケース２１に対して、端部ケース２２を取り外して開放状態とし、この内部には防水性を要する構成部材が無く、これら各基部ケース２１、及び端部ケース２２の内側や、この内部に構成する切替弁１４、伸縮シリンダ７、押割カム４、及び、ピンセット３等全ての構成部材、部分の洗浄を行い易くする。
【００２６】  前記操作具８は、前記押ボタンスイッチ２０に代えて、カム機構２９を押してロッド２４をバルブスプリング２８に抗して押圧作動して、切替弁１４を中立位置Ｎから供給位置Ｋへ連動作動することができる。このカム機構２９や、ロッド２４、及びこのロッド２４を弁作動子３０側へ軽く押圧して連接間隙を吸収するためのロッドスプリング２５等を、前記伸縮シリンダ７の側部に沿わせて、ハンドケース１内部に構成している。この切替弁１４の入力ポート３２と、出力ポート３３を上側、基端部側へ向け、前記弁作動子３０を下側、先端部側へ対向させて設け、これら入力ポート３２をカプラーソケット２６によってホース１３と連結し、出力ポート３３と伸縮シリンダ７のシリンダポート３４の間をエアホース３１で連結して、ハンドケース１の内部スペースを狭くするように構成して、把持操作し易い形態としている。
【符号の説明】
【００２７】  １    ハンドケース
２    挟持爪
３    ピンセット
４    押割カム
５    開閉アーム
６    スピンドル
７    伸縮シリンダ
８    操作具
１４  切替弁
１６  エア回路
２０  押しボタンスイッチ
２１  基部ケース
２２  端部ケース
２３  戻りスプリング
【図１】
2011125320.tif 000003
【図２】
2011125320.tif 000004
【図３】
2011125320.tif 000005
【図４】
2011125320.tif 000006
【図５】
2011125320.tif 000007